【手続補正書】
【提出日】平成20年4月2日(2008.4.2)
【手続補正１】
【補正対象書類名】特許請求の範囲
【補正対象項目名】全文
【補正方法】変更
【補正の内容】
【特許請求の範囲】
【請求項１】
竿先側竿体の竿尻端部外周面と竿尻側竿体の竿先端部内周面とを互いに圧接する状態で嵌合させて、竿先側竿体を伸長状態に保持すべく構成してある釣り竿であって、
前記竿先側竿体の竿尻端部又は前記竿尻側竿体の竿先端部のうちの少なくとも一方の竿先側竿体の前記竿尻端部に、前記竿先側竿体を構成する竿体の全長に相当する長さを有するメインパターンで構成される内外側層と、前記内外側層に重合される複数の補強パターンを配置するとともに、前記補強パターンの少なくとも一つを前記内外側層の中間に配置し、前記補強パターンを、前記メインパターンに比べて竿軸線方向に沿った長さを短く裁断したものに構成するとともに、竿軸線に対して所定の傾斜角に沿って引き揃え配置された強化繊維群を有するプリプレグと、前記プリプレグの強化繊維群と前記竿軸線に対して対称となる状態に引き揃え配置された強化繊維群を有するプリプレグとを重ね合わせて構成してある釣り竿。
【請求項２】
前記内側層を、強化繊維群を竿の円周方向に沿って引き揃えたプリプレグを竿体の全長に相当する長さで裁断した第１メインパターンと、強化繊維群を竿の軸線方向に沿って引き揃えたプリプレグを竿体の全長に相当する長さで、かつ、前記第１メインパターンの円周方向に沿った幅より大きな幅で裁断した第２メインパターンとを重ね合わせ、前記第１メインパターンよりも更に内側に口巻き用補強パターンを配置し、前記口巻き用補強パターンを、竿軸線に対して第４傾斜角に沿って引き揃え配置された強化繊維群を有するプリプレグと、前記プリプレグの強化繊維群と前記竿軸線に対して対称となる状態に引き揃え配置された強化繊維群を有するプリプレグを重ね合わせて構成し、前記第２メインパターンの外側でかつ前記外側層の内側に前記複数の補強パターンの内の第１補強パターンを配置し、前記第１補強パターンを、竿軸線に対して第１傾斜角に沿って引き揃え配置された強化繊維群を有するプリプレグと、前記プリプレグの強化繊維群と前記竿軸線に対して対称となる状態に引き揃え配置された強化繊維群を有するプリプレグとを重ね合わせて構成してある請求項１記載の釣り竿。
【請求項３】
前記内側層と外側層との間に位置する中間層を、竿体の全長に相当する長さの第３メインパターンで構成するとともに、前記第３メインパターンを、強化繊維群を竿の軸線方向に沿って引き揃えたプリプレグを裁断して構成し、前記中間層の外側でかつ前記外側層の内側に前記複数の補強パターンの内の第２補強パターンを配置し、前記第２補強パターンを、竿軸線に対して第２傾斜角に沿って引き揃え配置された強化繊維群を有するプリプレグと、前記プリプレグの強化繊維群と前記竿軸線に対して対称となる状態に引き揃え配置された強化繊維群を有するプリプレグとを重ね合わせて構成してある請求項1または２記載の釣り竿。
【請求項４】
前記外側層を、強化繊維群を竿の円周方向に沿って引き揃えたプリプレグを細幅のテープ状に裁断して構成したスリットテープを竿体の全長に相当する長さに亘って螺旋状に巻回して構成し、前記外側層の外側に前記複数の補強パターンの内の第３補強パターンを配置し、前記第３補強パターンを、竿軸線に対して第３傾斜角に沿って引き揃え配置された強化繊維群を有するプリプレグと、前記プリプレグの強化繊維群と前記竿軸線に対して対称となる状態に引き揃え配置された強化繊維群を有するプリプレグとを重ね合わせて構成し、前記第３補強パターンの外側に前記複数の補強パターンの内の第４補強パターンを配置し、前記第４補強パターンを、竿の周方向に強化繊維群を引き揃えたプリプレグと柔軟性繊維をクロス状に編み込んだプリプレグとを重ね合わせて形成し、前記柔軟性繊維をクロス状に編み込んだプリプレグにおいては、前記柔軟性繊維を樹脂層表面より突出させて設けてある請求項３記載の釣り竿。
【請求項５】
強化繊維群を竿の円周方向に沿って引き揃えたプリプレグを竿体の全長に相当する長さで裁断した第１メインパターンを、強化繊維群を竿の軸線方向に沿って引き揃えたプリプレグを竿体の全長に相当する長さで、かつ、前記第１メインパターンの円周方向に沿った幅より大きな幅で裁断した第２メインパターンの上に重ね合わせ配置するとともに、前記第１メインパターンの竿先端部の内周面側に請求項２記載の口巻き用補強パターンを重ね合わせ、前記第２メインパターンの竿尻端部の外周面に請求項２記載の第１補強パターンを重ね合わせて配置し、前記した口巻き補強パターン、前記第１メインパターン、前記第２メインパターン、前記第１補強パターンを一体的に重合した重合体を前記口巻き補強パターンが最内側に位置する順番でマンドレルに巻回する第１工程と、請求項３記載の第３メインパターンを第２メインパターンと第１補強パターンとに亘って巻回するとともにその巻回した第３メインパターンの竿尻端部分に請求項３記載の第２補強パターンを巻回し、前記第３メインパターンと前記第２補強パターンと一体的に重合した重合体を第３メインパターンが内側に位置する状態で巻回する第２工程と、請求項４記載の前記スリットテープを前記第３メインパターンと前記第２補強パターンとに亘って巻回する第３工程と、請求項４記載の第３補強パターンを前記第３メインパターンの竿尻端部に巻回する第４工程と、請求項４記載の第４補強パターンを前記第３補強パターンの竿尻端部に巻回する第５工程とからなる釣り竿の製造方法。
【手続補正２】
【補正対象書類名】明細書
【補正対象項目名】０００６
【補正方法】変更
【補正の内容】
【０００６】
〔構成〕
請求項１に係る発明の特徴構成は、前記竿先側竿体の竿尻端部又は前記竿尻側竿体の竿先端部のうちの少なくとも一方の竿先側竿体の前記竿尻端部に、前記竿先側竿体を構成する竿体の全長に相当する長さを有するメインパターンで構成される内外側層と、前記内外側層に重合される複数の補強パターンを配置するとともに、前記補強パターンの少なくとも一つを前記内外側層の中間に配置し、前記補強パターンを、前記メインパターンに比べて竿軸線方向に沿った長さを短く裁断したものに構成するとともに、竿軸線に対して所定の傾斜角に沿って引き揃え配置された強化繊維群を有するプリプレグと、前記プリプレグの強化繊維群と前記竿軸線に対して対称となる状態に引き揃え配置された強化繊維群を有するプリプレグとを重ね合わせて構成してある点にあり、その作用効果は次の通りである。
【手続補正３】
【補正対象書類名】明細書
【補正対象項目名】０００９
【補正方法】変更
【補正の内容】
【０００９】
請求項２に係る発明の特徴構成は、前記内側層を、強化繊維群を竿の円周方向に沿って引き揃えたプリプレグを竿体の全長に相当する長さで裁断した第１メインパターンと、強化繊維群を竿の軸線方向に沿って引き揃えたプリプレグを竿体の全長に相当する長さで、かつ、前記第１メインパターンの円周方向に沿った幅より大きな幅で裁断した第２メインパターンとを重ね合わせ、前記第１メインパターンよりも更に内側に口巻き用補強パターンを配置し、前記口巻き用補強パターンを、竿軸線に対して第４傾斜角に沿って引き揃え配置された強化繊維群を有するプリプレグと、前記プリプレグの強化繊維群と前記竿軸線に対して対称となる状態に引き揃え配置された強化繊維群を有するプリプレグを重ね合わせて構成し、前記第２メインパターンの外側でかつ前記外側層の内側に前記複数の補強パターンの内の第１補強パターンを配置し、前記第１補強パターンを、竿軸線に対して第１傾斜角に沿って引き揃え配置された強化繊維群を有するプリプレグと、前記プリプレグの強化繊維群と前記竿軸線に対して対称となる状態に引き揃え配置された強化繊維群を有するプリプレグとを重ね合わせて構成してある点にあり、その作用効果は次の通りである
【手続補正４】
【補正対象書類名】明細書
【補正対象項目名】００１０
【補正方法】変更
【補正の内容】
【００１０】
〔作用効果〕
請求項１に係る発明に対する作用効果を奏するとともに、次ぎのような作用効果を奏する。
つまり、竿先側竿体の竿尻端部に直接接触する竿尻側竿体の竿先端部の内周面に口巻き用補強パターンを設けてある。この構成によって、前記竿尻端部より受ける剪断力に対して口巻き用補強パターンの傾斜姿勢に配置された強化繊維が対抗力を発揮する。
これによって、竿先端部の塑性変形や割れの発生等を阻止できる。
また、メインパターンの構成としては、周方向に強化繊維を配置したプリプレグを所定形状に裁断した第１メインパターンを内側にし、竿軸線方向に強化繊維を配置したプリプレグを所定形状に裁断した第２メインパターンを外側に位置させて重ね合わせているので、これらのメインパターンで竿体を楕円状に変形させる荷重に対しては内側の第1メインパターンにおける強化繊維で対抗力を発揮させ、竿の軸線方向に作用する引張力に対しては外側の第２メインパターンの竿軸線方向に配置した強化繊維で対抗力を発揮させて竿の内側においても、竿の円周方向と竿の軸線方向のいずれの方向に作用する力に対しても対抗力を有するものになる。
しかも、メインパターンの竿先端部と竿尻端部との両端部には、強化繊維が竿の軸線方向に対して傾斜する状態で配置されたプリプレグからなる第1補強パターンが配置されて
いるので、竿先端部と竿尻端部とにおいては二つのメインパターンとこの第１補強パターンとが重ね合わされた状態になっている。したがって、この竿先端部と竿尻端部では強化繊維の方向が、竿軸線方向、竿軸線方向に直交する円周方向、竿軸線方向に傾斜する交差方向となっているので、曲げ力や剪断力、引張力等の多方位荷重に対する対抗力を高めることができる。
このように、内側層部分においても、二つのメインパターンと口巻き補強パターン、竿尻側の第１補強パターンとを重合させた構成によって、内側層単独でも多方向からの荷重に対する対抗力を高めることができた。
【手続補正５】
【補正対象書類名】明細書
【補正対象項目名】００１４
【補正方法】変更
【補正の内容】
【００１４】
〔作用効果〕
外側層として、円周方向に強化繊維を配した細幅のスリットテープを施してあるので、そのスリットテープを巻き付ける際の緊張力によって先行して巻回されている第３メインパターン等に十分な巻締力を付与しながら巻回することができる。しかも、プリプレグシートのように竿体の全長に亘る面積を有するものを巻回するのではなく、細幅のものを巻回するだけであるので、皺が発生したり折れ曲りが生じたりするといったことが少ない。したがって、巻回作業中に空気を巻き込むことが少なく、焼成後にボイド等が発生することが少なくなる。
また、焼成後はテープ同士が接続されて一枚のメインパターンと同様に、一枚ものとしての機能を発揮することとなるので、円周方向に沿って配置された強化繊維によって竿体の断面を横広がるとなる楕円状に変形させる外力に対する対抗力を高めたものにできる。
また、第３補強パターンと第４補強パターンとを重ね合わせた構成は、一番外側に柔軟性繊維をクロス状に編み込んだプリプレグと、その内側に竿の周方向に強化繊維群を引き揃えたプリプレグとが重合されている第４補強パターンが配置されていることなり、更に、その第４補強パターンの内側に竿軸線に対して第３傾斜角に沿って引き揃え配置された強化繊維群を有するプリプレグと、前記プリプレグの強化繊維群と前記竿軸線に対して対称となる状態に引き揃え配置された強化繊維群を有するプリプレグとを重ね合わせて構成した第３補強パターンが配置された状態となっている。
第４補強パターンにおいては、相手側面に直接圧接する柔軟性繊維をクロス状に編み込んだ外側プリプレグに作用する剪断力に対しては、内側に位置するプリプレグにおける竿軸線に対して所定傾斜角に沿って引き揃え配置された強化繊維群と竿軸線を挟んで対称に配置された強化繊維群とが対抗力を発揮して、受け止めることができる。
しかも、接触面を通して半径方向に働く荷重を受けて竿体の断面が荷重に直交する方向に楕円状に広がろうとするその半径方向荷重に対しては、円周方向に配置された強化繊維が対抗力を発揮することになる。
そして、一番外側に柔軟性繊維をクロス状に編み込んだプリプレグを配置しているので、クロス状に配置した繊維が多方向からの接触荷重に対して対抗力を発揮するとともに、柔軟性繊維が樹脂層より突出する状態にあるので、柔軟性繊維で囲まれた部位に水分を溜める空間が形成されることになる。したがって、空間の形成によって相手側面との密着面積が少なくなっており、合わせ部に入り込んだ水分も前記空間に誘導されて溜まることになるので、竿先側竿体を竿尻側竿体より勢い良く引き出したとしても、合わせ部がきつく圧接して竿先側竿体を竿尻側竿体内に収納することができなくなる、所謂、固着現象を回避できることになる。
この結果、合わせ部分での塑性変形や強化繊維の剥離等が抑制できるとともに、固着現象も未然に回避することのできる腰の強い竿を提供できるに至った。
【手続補正６】
【補正対象書類名】明細書
【補正対象項目名】００１５
【補正方法】変更
【補正の内容】
【００１５】
請求項５に係る発明の特徴構成は、強化繊維群を竿の円周方向に沿って引き揃えたプリプレグを竿体の全長に相当する長さで裁断した第１メインパターンを、強化繊維群を竿の軸線方向に沿って引き揃えたプリプレグを竿体の全長に相当する長さで、かつ、前記第１メインパターンの円周方向に沿った幅より大きな幅で裁断した第２メインパターンの上に重ね合わせ配置するとともに、前記第１メインパターンの竿先端部の内周面側に請求項２記載の口巻き用補強パターンを重ね合わせ、前記第２メインパターンの竿尻端部の外周面に請求項２記載の第１補強パターンを重ね合わせて配置し、前記した口巻き補強パターン、前記第１メインパターン、前記第２メインパターン、前記第１補強パターンを一体的に重合した重合体を前記口巻き補強パターンが最内側に位置する順番でマンドレルに巻回する第１工程と、請求項３記載の第３メインパターンを第２メインパターンと第１補強パターンとに亘って巻回するとともにその巻回した第３メインパターンの竿尻端部分に請求項３記載の第２補強パターンを巻回し、前記第３メインパターンと前記第２補強パターンと一体的に重合した重合体を第３メインパターンが内側に位置する状態で巻回する第２工程と、請求項４記載の前記スリットテープを前記第３メインパターンと前記第２補強パターンとに亘って巻回する第３工程と、請求項４記載の第３補強パターンを前記第３メインパターンの竿尻端部に巻回する第４工程と、請求項４記載の第４補強パターンを前記第３補強パターンの竿尻端部に巻回する第５工程とからなる点にあり、その作用効果は次の通りである。